(57)【要約】      （修正有）【課題】デザインの審美性が損なわれず、汎用性の高いカードゲーム用プレイマットを提供する。【解決手段】設定されたカード載置領域４でカード載置用の枠は描かれていない。従って、カード載置領域４に描かれたデザイン画５上に枠が配置されることがないため、デザイン画５は明確にスッキリと描かれる。また、複数種のカードＴを遊戯したとしても、カード載置領域４においてその種の固有のルールに則して自由にカードＴの載置位置を決められる。よって描かれたデザイン画５のデザインとしての審美性が損なわれず、汎用性を高められる。【選択図】図１
0003178068.tif 000002
【実用新案登録請求の範囲】
【請求項１】
遊戯カードを載置して遊戯できるカードゲーム用プレイマットであって、複数枚の遊戯カードを載置可能な大きさに形成されると共にカード載置用枠を有さないカード載置領域を備えていることを特徴とするカードゲーム用プレイマット。
【請求項２】
平面矩形状に形成され、全表面が上記カード載置領域であることを特徴とする請求項１に記載のカードゲーム用プレイマット。
【請求項３】
表面部と、上記表面部の裏面側に設けられた本体部とにより形成され、上記表面部はマイクロファイバー布により形成されると共に、上記本体部はゴム素材により形成されていることを特徴とする請求項１記載のカードゲーム用プレイマット。
【請求項４】
上記表面部には、デザイン画が描かれていることを特徴とする請求項３記載のカードゲーム用プレイマット。
【請求項５】
上記デザイン画には、グラデーションが付されて描かれていることを特徴とする請求項３記載のカードゲーム用プレイマット。
【請求項６】
上記デザイン画は、４色印刷により描かれていることを特徴とする請求項５記載のカードゲーム用プレイマット。
【請求項７】
幅寸法３５．５ｃｍ、長さ寸法６１ｃｍ、厚さ寸法２ｍｍに形成されていることを特徴とする請求項６記載のカードゲーム用プレイマット。
【考案の詳細な説明】
【技術分野】
【０００１】
本考案は、カードゲーム用プレイマットの改良に関する。
【背景技術】
【０００２】
従来から、カードにより遊戯を行うゲームが行われてきているが、現在、様々な種類の絵柄が描画されたトレーディングカード（Trading Card）ゲームが広く楽しまれており、トレーディングカードを鑑賞すると共に収集して楽しめることから、幅広い年齢層から支持されている。
トレーディングカードゲームにおいては、二人以上のプレーヤーが同種のトレーディングカードを複数枚ずつ持ち寄って対戦ゲームができるように、そのトレーディングカードに固有のルールが設定されている。
【０００３】
このようなトレーディングカードには、アニメ等のいわゆるキャラクター等のイラストが描かれ、描かれたイラストに合わせて、カード毎に異なった能力値や効果が与えられている。
このようなトレーディングカードゲームにおいては、カードの付属品としてプレイマットがあり、このようなプレイマットは、主にカードの損傷を防止するために使用される。
トレーディングカードゲーム用のプイレマットとして、例えば、特許文献１には、カード載置用マットとして、カードを一枚ずつ載置可能な枠が複数描かれている。上記枠が描かれた位置は、使用対象となるカードの固有のルールに基づいており、この枠が対戦ゲーム時のカードの載置位置を規制することで、ルールに則ったゲーム進行が補助されるようになっている。
【０００４】
しかしながら、下記特許文献１においては、プレイマットの表面に形成されたカード載置用の枠により、カードの置き場所が規制されることから、複数の人間が様々な種類のカードを使用して遊戯する場合に、使用するカードの種類が制限されることとなり、遊戯の自由度が規制されてしまい、趣向性が低下する、という不具合があった。
また、下記特許文献１においては、そのトレーディングカードゲームの固有のルールに則ったゲーム進行を補助する一方で、カードの載置位置を限定することになるから、異なるルールが設定された異種のカードのゲームで使用し難くなり、汎用性が著しく低くなってしまう、という不具合があった。
【特許文献１】実登３０６５２４４号公報
【考案の開示】
【考案が解決しようとする課題】
【０００５】
本考案はこのような従来からの不具合を解決するためのものであって、その課題は、ゲームの趣向性が損なわれず、汎用性の高いカードゲーム用プレイマットを提供することにある。
【課題を解決するための手段】
【０００６】
上記課題達成のため、請求項１記載の考案にあっては、遊戯カードを載置して遊戯できるカードゲーム用プレイマットであって、複数枚の遊戯カードを載置可能な大きさに形成されると共にカード載置用枠を有さないカード載置領域を備えていることを特徴とする。
【０００７】
請求項１記載に係るカードゲーム用プレイマットにあっては、カード載置領域にカード載置用の枠は表記されていないため、複数種のカードを遊戯したとしても、少なくともカード載置領域においては、その種の固有のルールに則して自由にカードの載置位置を決められる。
【０００８】
請求項２記載の考案にあっては、平面矩形状に形成され、全表面が上記カード載置領域であることを特徴とする。従って、請求項２記載に係るカードゲーム用プレイマットにあっては、カードゲーム用プレイマットの表面の全領域にカード載置領域が設定されているので、様々な種類のゲームに使用できる自由度が得られる。
【０００９】
請求項３記載の考案にあっては、表面部と、上記表面部の裏面側に設けられた本体部とにより形成され、上記表面部はマイクロファイバー布により形成されると共に、上記本体部はゴム素材により形成されている。
【００１０】
請求項３記載に係るカードゲーム用プレイマットにあっては、表面部にあっては、カードが表面に接触したとしてもマイクロファイバー布によってカードの損傷が防止される。また、合成樹脂製シートによってカードを表面に置く際の衝撃が緩和されると共にカードゲーム用プレイマットの滑りを防止することができる。
【００１１】
請求項４記載の考案にあっては、上記表面部には、デザイン画が描かれていることを特徴とする。上記「デザイン画」とは、マンガ、アイドル等のキャラクターが所定のシチュエーションを背景に描かれている画が一般的である。
請求項５記載の考案にあっては、上記デザイン画には、グラデーションが付されて描かれていることを特徴とする。
請求項６記載の考案にあっては、上記デザイン画は、４色印刷により描かれていることを特徴とする。
請求項７記載の考案にあっては、幅寸法３５．５ｃｍ、長さ寸法６１ｃｍ、厚さ寸法２ｍｍに形成されていることを特徴とする。
【考案の効果】
【００１２】
請求項１に記載された考案に係るカードゲーム用プレイマットにあっては、複数枚の遊戯カードを載置可能な大きさに形成されると共にカード載置用枠を有さないカード載置領域を備えていることから、複数種のカードを遊戯したとしても、カード載置領域においては、各ゲームの夫々のルールに則して自由にカードの載置位置を決められる。
その結果、各プレーヤーがカードを置く場所が規制されないことから、所望の場所にカードを置いて、自由にゲームを楽しむことができ、ゲームの趣向性を向上させることができる。
【００１３】
請求項２記載の考案にあっては、様々なカードゲームに使用できる汎用性の高いカードゲーム用プレイマットを提供することができる。
【００１４】
請求項３記載に係るカードゲーム用プレイマットにあっては、カードがラフに置かれた場合であっても、マイクロファイバー布によってカードの損傷が防止される。また、合成樹脂製シートによってカードを表面に置く際の衝撃が緩和されると共にカードゲーム用プレイマットの滑りを防止することができることから、カードを保護することができると共に、ゲーム中にプレイマットが遊戯位置からずれてしまう事態を防止することができる。
【００１５】
請求項４記載の考案にあっては、上記表面部には、マンガ、アイドル等のキャラクターが所定のシチュエーションを背景に描かれたデザイン画が描かれていることから、プレーヤーはマットの表面のデザイン画を見て楽しむことができ、ゲームの趣向性を高めることができる。
また、カード載置領域にはカード載置用枠が形成されていないことから、描かれたデザイン画上にカード載置用枠が表されることがなく、プレイマットに描かれたデザイン画の明確性、審美性が損なわれることがない。
【００１６】
請求項５記載の考案にあっては、上記デザイン画は、グラデーションが付されていると共に、請求項６記載の考案にあっては、上記デザイン画は、４色印刷により描かれていることから、表面に描かれたデザイン画の画質を高めることができ、さらにゲームの趣向性を向上させることができる。
【００１７】
請求項７記載の考案にあっては、幅寸法３５．５ｃｍ、長さ寸法６１ｃｍ、厚さ寸法２mmに形成されていることから、トレーディングカードゲームに適切な大きさのプレイマットを提供することができる。
【図面の簡単な説明】
【００１８】
【図１】本考案に係るカードゲーム用プレイマットの第一実施形態を示すカードゲーム用プレイマットの平面図である。
【図２】本考案に係るカードゲーム用プレイマットの第一実施形態を示すカードゲーム用プレイマットの要部断面図であって、図１におけるＩ−Ｉ線断面図である。
【図３】本考案に係るカードゲーム用プレイマットの第二実施形態を示すカードゲーム用プレイマットの平面図である。
【考案を実施するための最良の形態】
【００１９】
以下、添付図面に示す実施の形態に基づき、本考案に係るカードゲーム用プレイマットを詳述する。
【００２０】
図１は、本考案の第一実施形態に係るカードゲーム用プレイマット１の平面図であり、図２は、本実施形態に係るカードゲーム用プレイマット１の要部断面図であって図１におけるＩ−Ｉ線断面図である。
【００２１】
図１及び図２に示すように、本実施の形態に係るカードゲーム用プレイマット1は、複数枚の遊戯カードを載置可能な大きさに形成されると共にカード載置用枠を有さないカード載置領域4を備えている。
本実施の形態に係るカードゲーム用プレイマット1は、平面横長長方状に形成され、上記カード載置領域4は全領域に形成され、幅寸法３５．５ｃｍ、長さ寸法６１ｃｍ、厚さ寸法２ｍｍに形成されている。
また、本実施の形態に係るカードゲーム用プレイマット1は、表面部２と、上記表面部２の裏面側に設けられた本体部３とにより形成されており、上記表面部２はマイクロファイバー布により形成されると共に、上記本体部３はゴム素材により形成されている。
また、上記表面部２には、デザイン画が描かれており、上記デザイン画５は、表面部２の中心部Ｃを含み表面部２の中心位置に描かれている。デザイン画５には、グラデーションが付されて描かれており、さらに、上記デザイン画は、４色印刷により描かれている。
【００２２】
カード載置領域４は、表面２ａの全領域に設定されていることから、平面視で横長長方形状に形成されており、複数枚のトレーディングカード（以下、単に「カード」と称する）Ｔを載置できる大きさに形成されている。
なお、本実施形態においては、カードＴの大きさを、テレホンカードやクレジットカード等の一般的なカード類に近い定型のものを想定している。
【００２３】
カード載置領域４においては、背景画の中にキャラクターが仰向けになったデザイン画５が描かれており、カード載置用の枠は描かれていない。このため、カード載置用の枠をカード載置領域４に施した場合には、上記デザイン画５上に枠が描かれることとなるため、女性キャラクターの絵柄が枠に邪魔されることがないことから、４色印刷であって、かつグラデーションを付して描かれたデザイン画５が表面にきれいに表され、プレーヤーも美しい絵柄を楽しみながらゲームを行うことができる。
【００２４】
ここで、なお、デザイン画５は、本実施の形態に限定されることなく、人物や動物のキャラクター、風景、写真画、文字又は抽象画並びにこれらの組み合わせであってもよい。
【００２５】
続いて、カード載置領域４におけるゲーム選択の自由性について図を用いて説明する。本実施形態においては、二人のプレーヤーの対戦ゲームを前提に説明する。
【００２６】
まず、ある種のカードＴのルールに則ってカード載置領域４にカードＴが載置される。この際、表面２ａがマイクロファイバー布で柔軟かつ平滑であることから、カードＴを表面２ａに柔らかく置くことができる。また、裏層のゴムシート３によってカードＴを表面２ａに置く際の衝撃が緩和されると共にカードゲーム用プレイマット１が滑らない。
【００２７】
カード載置領域４には、カード載置用の枠が描かれていないことから、カードＴを当該カードＴのルールに則って自由に置くことが可能である。ゲームの進行において、プレーヤーは、カードゲーム用プレイマット１の表面２ａの優れた審美性のデザイン画上でカードＴを扱うため、プレーヤーとしてはデザイン画を楽しみながら愉快にゲームを進行させることができる。
【００２８】
次に、別種のカードＴのゲームを開始した場合であっても、カード載置用の枠が描かれていないことから、別種のカードＴを当該カードＴのルールに則って自由に置くことが可能である。このため、プレーヤーは、枠にカードの置き場所を規制されることなく、自由にゲームを進行させることができる。
【００２９】
さらに、カード載置領域４が長方形状に設定されていることから、複数枚のカードＴを長さ方向に亘って並べることができ、一度に多数枚のカードＴを使用するようなルールにも柔軟に対応することが可能である。
【００３０】
そして、別種のカードＴのゲームを終了した後に、カードゲーム用プレイマット１を長さ方向の一端１ａから他端１ｂに向けて巻いて搬送し、かつ収容することができる。
【００３１】
以上、説明したように、本実施形態によれば、設定されたカード載置領域４でカード載置用の枠は描かれていない。従って、カード載置領域４に描かれたデザイン画５上に枠が配置されることがないため、デザイン画５は明確にスッキリと描かれる。また、複数種のカードＴを遊戯したとしても、カード載置領域４においてその種の固有のルールに則して自由にカードＴの載置位置を決められる。
その結果、本実施の形態にあっては、描かれたデザイン画５のデザインとしての審美性が損なわれず、汎用性を高めたカードゲーム用プレイマット１を提供することができる。
【００３２】
また、カードゲーム用プレイマット１の表面２ａの全領域がカード載置領域４として利用可能であるので、カードＴの載置位置の自由性をさらに高めることができる。また、カードゲーム用プレイマット１の表面２ａの全表面に描画したデザイン画５の審美性が損なわれない。
その結果、汎用性を高めると共にデザインの自由度を高めたカードゲーム用プレイマット１を提供することができる。
【００３３】
また、平面横長長方形状にカードゲーム用プレイマット１が形成されているので、複数枚のカードＴをカードゲーム用プレイマット１の長さ方向に並べて置くことができる。このため、一度に多数枚のカードＴを使用するようなトレーディングカードゲームにも柔軟に対応することができる。その結果、さらに汎用性を高めたカードゲーム用プレイマット１を提供することができる。
【００３４】
また、マイクロファイバー布２及びこのマイクロファイバー布２の裏面に張り合わされたゴムシート３をカードゲーム用プレイマット１が備えるので、カードＴを表面２ａにラフに置いた場合であってもマイクロファイバー布２によってカードＴの折損や削損等が防止される。また、ゴムシート３によってカードＴを表面２ａに置く際の衝撃が緩和されると共に、カードゲーム用プレイマット１のゲーム時における滑りを防止することができる。
その結果、カードＴの損傷が発生せず、かつ、使い勝手のよいカードゲーム用プレイマット１を提供することができる。
【００３５】
また、カードゲーム用プレイマット１が長さ方向の一端１ａから他端１ｂに向けて巻いて収容可能であるので、巻いた状態でコンパクトになることから、搬送性及び収納性に優れたカードゲーム用プレイマット１を提供することができる。
【００３６】
続いて、本考案の第二実施形態について図を用いて説明する。
図３は、本考案の第二実施形態に係るカードゲーム用プレイマット１０の平面図である。なお、図３において、図１及び図２と同様の構成要素については、同一の符号を付して、その説明を省略する。
【００３７】
図３に示すように、本実施形態のカードゲーム用プレイマット１０は、上述した第一実施形態と異なり、カード載置領域１４を表面２ａの中心Ｃを含む一部の領域に限定したものである。
【００３８】
カードゲーム用プレイマット１０は、表面２ａの中央領域にカード載置領域１４が設定されている。
【００３９】
カード載置領域１４は、平面視で横長長方形状に相当する領域に設定されており、複数枚のカードＴを載置できる大きさに設定されている。カード載置領域１４においては、中心部Ｃを含む一にデザイン画６としての稲妻が描かれており、カード載置用の枠は前記実施の形態同様に設定されていない。
このため、カード載置用の枠をカード載置領域１４に施した場合に比べて、デザイン画６としての明確性があり、製品としての外観品質に優れている。
【００４０】
本実施の形態によれば、カード載置領域１４において、上述した第一実施形態の主要な効果と同様の効果を得ることができる。
即ち、カードゲーム用プレイマット１０の表面２ａの中心Ｃが含められるようにカード載置領域１４が設定されているので、カードゲーム用プレイマット１０を挟むプレーヤーがカードＴを載置し易い。また、複数のカードＴを載置可能な大きさで、カード載置領域１４が設定されているので、複数のカードＴを扱う必要性のあるゲームを自由に進行させることができる。
【００４１】
以上、本考案の実施形態を説明したが、本考案は上述した実施形態に限らず、種々の設計変更が可能である。例えば、上述した各実施形態においては、カードＴの大きさを、テレホンカードやクレジットカード等の一般的なカード類に近い定型のものを想定したが、異なるサイズを想定してもよい。この場合、当該カードのサイズでカード載置領域４，１４の大きさを設定すればよい。
【００４２】
また、上述した各実施形態においては、カードゲーム用プレイマット１，１０を二層に形成したが、単層又は三層以上に形成してもよい。
また、上述した各実施形態においては、表層をマイクロファイバー布２で、裏層をゴムシート３で構成したが、例えば、表層を綿、麻、合成繊維、不織布、ビニル素材等で構成してもよいし、裏層をウレタン等の各合成樹脂製素材、天然ゴム等で構成してもよい。
【００４３】
また、上述した実施形態においては、二人のプレーヤーの対戦を前提にして説明をしたが、三人以上のプレーヤーの対戦に用いてもよい。この場合には、カードゲーム用プレイマット１，１０の短手方向でカードゲーム用プレイマット１，１０を挟んでプレーヤーを配置してもよく、カードゲーム用プレイマット１，１０を囲むようにしてプレーヤーを配置してもよい。いずれにしても、カードゲーム用プレイマット１，１０の表面２ａの中心Ｃが含められるようにカード載置領域４，１４が設定されているので、カードゲーム用プレイマット１，１０の周りを囲うプレーヤーがカード載置領域４，１４にカードＴを載置し易い、という効果が得られる。
【符号の説明】
【００４４】
１，１０…カードゲーム用プレイマット
１ａ…一端
１ｂ…他端
２…マイクロファイバー布
２ａ…表面
３…ゴムシート
４，１４…カード載置領域
５，６…デザイン画
Ｃ…中心
Ｔ…カード（遊戯カード）
【図１】
0003178068.tif 000003
【図２】
0003178068.tif 000004
【図３】
0003178068.tif 000005